(57)【要約】      （修正有）【課題】熟練した技術者（アイリスト）の負担を軽減し、能率を高め、まつげエクステンションに要する時間を短縮し、被施術者のストレスを軽減することができるピンポイントブロアー付きピンセット装置を提供する。【解決手段】先端部に向けて空気を噴出するノズル１４が一体的に取付けられたノズル付きピンセット１０と、ノズル１４に空気を供給する空気供給装置２０とを備える。空気供給装置２０は、空気を加圧して吐出するエアポンプ２２と、エアポンプの作動又はその空気流量を制御する制御スイッチ（足ふみ式の押ボタンスイッチ）２４と、エアポンプからノズルまで加圧された空気を供給する可撓性のエアチューブ２６とを有する。【選択図】図３
0003165077.tif 000002
【実用新案登録請求の範囲】
【請求項１】
先端部に向けて空気を噴出するノズルが一体的に取付けられたノズル付きピンセットと、
前記ノズルに空気を供給する空気供給装置と、を備えたことを特徴とするピンポイントブロアー付きピンセット装置。
【請求項２】
前記空気供給装置は、空気を加圧して吐出するエアポンプと、
該エアポンプの作動又はその空気流量を制御する制御スイッチと、
前記エアポンプからノズルまで加圧された空気を供給する可撓性のエアチューブと、を有することを特徴とする請求項１に記載のピンポイントブロアー付きピンセット装置。
【請求項３】
前記エアチューブの中間に、エアフィルタを内蔵したレギュレータを有する、ことを特徴とする請求項２に記載のピンポイントブロアー付きピンセット装置。
【考案の詳細な説明】
【技術分野】
【０００１】
本考案は、微細な対象物を挟持し、送風をピンポイントに送る機能を持つピンポイントブロアー付きピンセット装置に関する。
【背景技術】
【０００２】
ピンセットは、微細な物品を挟持する器具であり、例えばまつげエクステンションに使用される。
まつげエクステンションとは、人のまつげ（地まつげ）の近傍に人為的に別の人工まつげを接着する美容上の施術を意味する。
かかるまつげエクステンション用の人工まつげとして、特許文献１が既に開示されている。
【０００３】
特許文献１のまつげエクステンション用人工まつげは、図１に示すように、洗顔等で容易に取れないように、地まつげ１の１本をすっぽり覆い被せることができる袋状の人工まつげ２である。
【先行技術文献】
【特許文献】
【０００４】
【特許文献１】特開２００８−２８５８０２号公報、「まつげエクステンション用人工まつげ」
【考案の概要】
【考案が解決しようとする課題】
【０００５】
上述した特許文献１の人工まつげは、まつげエクステンションの施術自体は容易であるが、人工まつげの施術可能な数量が、人の地まつげの数量に限定されるため、美容上の効果が少ない。また、地まつげの長さは様々であるが、人工まつげの内側の空間は一定であるので、様々な長さの地まつげに対応することが難しい。また、人工まつげが地まつげを覆い被せているので、人工まつげに思い通りのカールを持たせることが難しく、人工まつげの長さを長くするにも限界がある。
そのため、従来のまつげエクステンションは、図２に示すような手順（工程）で実施されている。
【０００６】
図２において、（Ａ）はマスキング工程、（Ｂ）はエクステンション工程、（Ｃ）はコーティング工程である。
【０００７】
マスキング工程（Ａ）では、下まつげにグルーがつかない様にマスキングテープ３を貼り付ける。
上まつげにまつげエクステを付け、グルー（接着剤）が完全に固まる前に目を閉じたりすると上まつげと下まつげがくっついてしまい、目が開かなくなってしまうことがある。マスキング工程は、これを防ぎ、かつ上まつげ４を見やすいようにする工程である。
【０００８】
エクステンション工程（Ｂ）では、グルー５をエクステ（人工まつげ６）の根元につけ、地まつげ（上まつげ４）の根元からわずかに離して１本ずつに付けていく。この工程を何度か繰り返し隙間のないように人工まつげ６で埋めていく。
人工まつげ６がすべて付け終わったら、付けた人工まつげをよりよくしっかりと装着させるためピンセットでしっかりと押さえる。
【０００９】
コーティング工程（Ｃ）では、コーティング剤を塗り、早く乾くように乾燥器具（ブロア）でまつげに風を当て乾燥させる。
コーティング剤が乾いたらホットビューラー等で整え、まつげエクステンションが完成する。
【００１０】
上述したエクステンション工程（Ｂ）では、通常２本のピンセット７，８とブロア（図示せず）を用い、１００本以上の人工まつげ６を以下の３工程で１本ずつ取付けている。
（１）片手（例えば左手）で一方のピンセット７を操作し、隣接する地まつげ（上まつげ４）の間を広げて保持する。
（２）別の手（例えば右手）で他方のピンセット８を操作し、１本の人工まつげ６を挟持し、その根元にグルー５（接着剤）を付け、広げて保持した地まつげの間にグルー５で人工まつげ６を付ける。
（３）次いで、他方のピンセット８をブロアに持ち替えて、直前に付けた人工まつげのグルーを乾燥させる。
【００１１】
上述した３工程のうち、人工まつげ６の取り付け（２）とグルー乾燥（３）は、使用する器具（ピンセットとブロア）が異なりこれを１本毎に持ち替える必要があるため、能率が低く、まつげエクステンションに長時間を要する問題点があった。そのため、一定時間あたりに付けられる人工まつげ６の本数には限界があり、一人の被施術者にかかる時間が長くかかる分、利益が少なくなってしまっていた。また、被施術者は施術中に目を開くことができないため、施術の時間が長くかかる分、被施術者にもストレスがかかっていた。
また、まつげエクステンションは、熟練した技術者（アイリスト）が施術を行う一種の職人技であり、１本１本の細かい作業で、全神経を集中させるので、アイリストの負担が大きい問題点があった。
【００１２】
本考案は、上述した問題点を解決するために創案されたものである。
すなわち、本考案の目的は、熟練した技術者（アイリスト）の負担を軽減し、能率を高め、まつげエクステンションに要する時間を短縮し、被施術者のストレスを軽減することができるピンポイントブロアー付きピンセット装置を提供することにある。
【課題を解決するための手段】
【００１３】
本考案によれば、先端部に向けて空気を噴出するノズルが一体的に取付けられたノズル付きピンセットと、
前記ノズルに空気を供給する空気供給装置と、を備えたことを特徴とするピンポイントブロアー付きピンセット装置が提供される。
【００１４】
本考案の実施形態によれば、前記空気供給装置は、空気を加圧して吐出するエアポンプと、
該エアポンプの作動又はその空気流量を制御する制御スイッチと、
前記エアポンプからノズルまで加圧された空気を供給する可撓性のエアチューブと、を有する。
【００１５】
また、前記エアチューブの中間に、エアフィルタを内蔵したレギュレータを有する、ことが好ましい。
【考案の効果】
【００１６】
上記本考案の構成によれば、ノズル付きピンセットに、先端部に向けて空気を噴出するノズルが一体的に取付けられており、空気供給装置により、ノズル付きピンセットのノズルに空気を供給するので、上述したエクステンション工程（Ｂ）の３工程のうち、人工まつげ６の取り付け（２）とグルー乾燥（３）を、単一のノズル付きピンセットで器具を持ち替えることなく実施することができる。また、ほこりを吹き飛ばす用途にも使用することができる。
【００１７】
従って、エクステンション工程（Ｂ）において機器の持ち替えが不要となり、３工程を実質的に２工程でできるので、１００本以上をまつげエクステンションする場合であっても、技術者（アイリスト）の負担を軽減し、能率を高め、まつげエクステンションに要する時間を短縮し、被施術者のストレスを軽減することができる。
【図面の簡単な説明】
【００１８】
【図１】特許文献１のまつげエクステンション用人工まつげの模式図である。
【図２】従来のまつげエクステンションの説明図である。
【図３】本考案によるピンポイントブロアー付きピンセット装置の全体構成図である。
【考案を実施するための形態】
【００１９】
以下、本考案の好ましい実施形態を添付図面に基づいて詳細に説明する。なお、各図において共通する部分には同一の符号を付し、重複した説明を省略する。
【００２０】
図３は、本考案によるピンポイントブロアー付きピンセット装置の全体構成図である。この図に示すように本考案のピンポイントブロアー付きピンセット装置は、ノズル付きピンセット１０と空気供給装置２０を備える。
【００２１】
ノズル付きピンセット１０は、人工まつげ６を挟持するのに適したピンセット１２と、ピンセット１２の先端部に向けて空気を噴出するノズル１４とからなる。ノズル１４はピンセット１２に一体的に取付けられ、ピンセット１２と共に自由に移動することができる。
【００２２】
この例において、ピンセット１２は、先端部１２ａがセラミックからなるセラミックピンセットである。しかし、本願はセラミックピンセットに限定されず、まつげエクステンションに適する限りで、その他のピンセットであってもよい。
【００２３】
この例において、ノズル１４は、ピンセット１２の把持部１２ｂの内側に機械的に固定されている。しかし、本願はこの構成に限定されず、例えばピンセット１２の先端部１２ａ又は把持部１２ｂを通して空気を噴出してもよい。
また、この例において、ノズル１４は、後述するエアチューブと別体であるが、本願はこの構成に限定されず、エアチューブの先端部にノズル１４を一体的に設けてもよく、或いはエアチューブ自体をノズルとして用いてもよい。
さらに、ノズル１４の一部を可動式にして、空気を噴出する方向を調節できるようにしてもよい。
【００２４】
空気供給装置２０は、前記ノズル１４に空気を供給する機能を有する。
この例において、空気供給装置２０は、エアポンプ２２、制御スイッチ２４、エアチューブ２６、及びレギュレータ２８を有する。
【００２５】
エアポンプ２２は、空気を加圧して吐出する。エアポンプ２２の空気流量はまつげエクステンションにおいて上述したグルー乾燥に適した流量であり、例えば３Ｌ／ｍｉｎ程度である。また、加圧圧力は、所望の空気流量を流せる限りで、まつげエクステンションに支障のない低圧であるのがよい。
【００２６】
制御スイッチ２４は、エアポンプ２２の作動（ＯＮ／ＯＦＦ）、又はその空気流量を制御する。この例において、制御スイッチ２４は足ふみ式の押ボタンスイッチであり、技術者（アイリスト）の足で操作して、エアポンプ２２をＯＮ／ＯＦＦするようになっている。
なお、本願はこの構成に限定されず、例えばノズル付きピンセット１０に指で操作する制御スイッチ２４（例えば押ボタンスイッチ）を設け、ノズル付きピンセット１０を使用しながら、必要時に指でエアポンプ２２を制御してもよい。
【００２７】
エアチューブ２６は、可撓性であり、エアポンプ２２からノズル１４まで加圧された空気を供給する。
この例において、エアチューブ２６は、エアポンプ２２とレギュレータ２８を連結する上流側エアチューブ２６ａと、レギュレータ２８とノズル１４を連結する下流側エアチューブ２６ｂとからなる。
上流側エアチューブ２６ａは、エアポンプ２２の吐出口に適合した内径の大きいエアチューブ（例えば内径５〜８ｍｍ）であり、下流側エアチューブ２６ｂはノズル１４の連結口に適合した内径の小さいエアチューブ（例えば内径２〜４ｍｍ）である。上流側エアチューブ２６ａ及び下流側エアチューブ２６ｂは、エクステンション工程（Ｂ）に支障のないように十分柔らかい可撓性を有している。
【００２８】
レギュレータ２８は、この例ではエアフィルタを内蔵し、エアチューブ２６の中間（上流側エアチューブ２６ａと下流側エアチューブ２６ｂの間）に設けられている。
また、このレギュレータ２８は、上流側エアチューブ２６ａと下流側エアチューブ２６ｂの内径の相違に適合させる異径ジョイントと、エアチューブ２６を流れる流量を調節する流量調整機能とを有する。
なお、レギュレータ２８の位置は、この例に限定されず、その他の位置、例えばエアポンプ２２に内蔵してもよい。また本願においてレギュレータ２８は不可欠ではなく、これを省略してもよい。
【００２９】
上述した本考案の構成によれば、ノズル付きピンセット１０に、その先端部に向けて空気を噴出するノズル１４が一体的に取付けられており、空気供給装置２０により、ノズル付きピンセット１０のノズル１４に空気を供給するので、エクステンション工程（Ｂ）の３工程のうち、人工まつげ６の取り付け（２）とグルー乾燥（３）を、単一のノズル付きピンセット１０で器具を持ち替えることなく実施することができる。また、ほこりを吹き飛ばす用途にも使用することができる。
【００３０】
従って、エクステンション工程（Ｂ）において機器の持ち替えが不要となり、３工程を実質的に２工程でできるので、１００本以上をまつげエクステンションする場合であっても、技術者（アイリスト）の負担を軽減し、能率を高め、まつげエクステンションに要する時間を短縮し、被施術者のストレスを軽減することができる。
【００３１】
なお、本考案のピンポイントブロアー付きピンセット装置は、まつげエクステンションの施術以外にも、ピンセットの先端に向けてピンポイントに送風する用途に使用するものであれば、どんなものにも使用することができる。例えば、髪の毛に使用するヘアーエクステンションに使用することもできる。
【００３２】
また、本考案のピンポイントブロアー付きピンセット装置を手術器具として使用しても良い。すなわち、手術中にピンセットでつまんでいる最中に、ピンセットの先端が血液等で見えなくなることがある。特に細かい部位や奥まった部位の場合、サクションの先を入れにくく、血液等をうまく吸引できないことがある。そうした場合、本考案のピンポイントブロアー付きピンセット装置を使用することにより、術者自らがピンセットの先端付近の血液を吹き飛ばし、術野を確保することができる。この場合、エアポンプ２２から吐出される空気流量は、血液を吹き飛ばすために適した流量が好ましい。また、吐出される空気をフィルターに通した後に使用するなど、吐出される空気を無菌に保つことが好ましい。
【００３３】
また、ＩＣのはんだ付け等の細かい部位のはんだ付けや、細かい部位の溶接を行う際などに、溶接部位やはんだ付けした部位の温度を下げるために使用することができる。
【００３４】
なお、本考案は上述した実施形態に限定されず、実用新案登録請求の範囲の記載によって示され、さらに実用新案登録請求の範囲の記載と均等の意味および範囲内でのすべての変更を含むものである。
【符号の説明】
【００３５】
１  地まつげ、２  人工まつげ、
３  マスキングテープ、４  地まつげ（上まつげ）、
５  グルー（接着剤）、６  人工まつげ、７，８  ピンセット、
１０  ノズル付きピンセット、１２  ピンセット、
１２ａ  先端部、１２ｂ  把持部、１４  ノズル、
２０  空気供給装置、２２  エアポンプ、
２４  制御スイッチ（足ふみ式の押ボタンスイッチ）、
２６  エアチューブ、２６ａ  上流側エアチューブ、
２６ｂ  下流側エアチューブ、２８  レギュレータ
【図１】
0003165077.tif 000003
【図２】
0003165077.tif 000004
【図３】
0003165077.tif 000005